(57)【特許請求の範囲】
【請求項１】
本体に搭載した分光透過率を測定する測定光学系の光路に臨む位置に設けたレンズ配置部に、被検レンズを配置してこの被検レンズの分光透過率を測定する分光透過率計であって、
前記レンズ配置部において測定光学系の光路に対する被検レンズの測定部位を特定するレンズ位置決め手段を備え、前記レンズ位置決め手段は、
レンズ配置部における前記測定光学系の光路を囲む位置に形成した受孔部と、被検レンズのレンズ面に付されたこの被検レンズの光学情報表示用の印点を基準として貼り付けられ、前記受孔部に嵌合可能な環状の位置決めリングとにより構成されることを特徴とする被検レンズの分光透過率計。
【発明の詳細な説明】
【０００１】
【発明の属する技術分野】
本発明は、眼鏡レンズ等の被検レンズの分光透過率を測定する分光透過率計に関するものである。
【０００２】
【従来の技術】
従来、眼鏡レンズ等の被検レンズの分光透過率を測定する分光透過率計として例えば、測定すべき被検レンズを、分光透過率計に設けた測定用の開口部に臨ませ、測定スイッチを操作することで、光源からの測定光束を被検レンズを透過させ、さらに受光素子により受光して前記被検レンズの分光透過率を測定するようにしたものが知られている。
【０００３】
また、レンズメータに上述したような分光透過率計を組み合わせた提案もなされている。
【０００４】
【発明が解決しようとする課題】
しかしながら、上述した従来の分光透過率計の場合、測定者が被検レンズを保持し分光透過率計に設けた測定用の開口部に臨ませるものであるため、被検レンズの測定部位を正確に位置決めすることが困難であるという課題がある。特に外形が小さいコンタクトレンズの場合には、測定部位の位置決めが概略的になってしまう。
【０００５】
即ち、従来の分光透過率計の場合、眼鏡レンズの分光透過率を厳密に測定して眼鏡装用者に対して最適の眼鏡を調整したり、眼鏡レンズの分光透過率を厳密に測定して統計処理を行なおうとする場合には不都合が生じていた。
【０００６】
本発明は、上記事情に鑑みてなされたものであり、各種の被検レンズの測定部位を正確に位置決めし、さらには測定部位を変位させて分光透過率の測定を厳密に実行することができる被検レンズの分光透過率計を提供することを目的とするものである。
【０００７】
【課題を解決するための手段】
請求項１記載の発明は、本体に搭載した分光透過率を測定する測定光学系の光路に臨む位置に設けたレンズ配置部に、被検レンズを配置してこの被検レンズの分光透過率を測定する分光透過率計であって、前記レンズ配置部において測定光学系の光路に対する被検レンズの測定部位を特定するレンズ位置決め手段を備え、前記レンズ位置決め手段は、レンズ配置部における前記測定光学系の光路を囲む位置に形成した受孔部と、被検レンズのレンズ面に付されたこの被検レンズの光学情報表示用の印点を基準として貼り付けられ、前記受孔部に嵌合可能な環状の位置決めリングとにより構成されることを特徴とするものである。
【００１０】
この発明によれば、前記レンズ位置決め手段を、測定光学系の光路を囲む位置に形成した受孔部と、被検レンズの光学情報表示用の印点を基準として貼り付けられ、前記受孔部に嵌合可能な環状の位置決めリングとにより構成したので、前記環状の位置決めリングを前記受孔部に嵌合するという簡略な操作だけで、被検レンズの測定部位を正確に位置決めし、分光透過率の測定を厳密に実行することが可能となる。
【００１５】
【発明の実施の形態】
以下に、本発明の実施の形態を詳細に説明する。
【００１６】
（実施の形態１）
図１乃至図６は、本発明の実施の形態１の分光透過率計１を示すものである。
【００１７】
この分光透過率計１は、略直方体状の本体２を備え、この本体２の略中央部に詳細は後述する分光透過率を測定する測定光学系の光路Ｌに臨む状態で凹陥部状のレンズ配置部３を設けている。尚、２ａは本体２の底部に備えた脚体である。
【００１８】
前記本体２上には、図２に示すように、測定スイッチ４、較正スイッチ５を配置している。
【００１９】
また、図１に示す状態において、本体２の左側の端面には、図３に示すように電源接続端子６、電源ランプ７、通信用端子８を配置している。
【００２０】
前記レンズ配置部３には、図１において左側に位置して、後述する位置決めリング２５とともに本実施の形態のレンズ位置決め手段を構成する円形筒状の突出筒部１１ａを備えた受孔部１１が設けられ、この受孔部１１と対向する側には測定光束の射出口１２が設けられている。また、レンズ配置部３の底部３ａは平坦に形成されている。
【００２１】
次に、図５を参照して分光透過率計１の内部構造を説明する。
【００２２】
この分光透過率計１は、図５に示すように、本体２内における前記射出口１２の右側の領域と、レンズ配置部３と、前記受孔部１１左側の領域とに亘って測定光学系を配置している。
【００２３】
測定光学系は、所定の波長の測定光を射出する例えばキセノンランプのような光源１４からの測定光を反射する第１ミラー１５と、第１ミラー１５からの測定光束を前記射出口１２から受孔部１１に向けて射出するレンズ１６と、このレンズ１６からの測定光束を受光し、開口部１７ａから赤外線及び可視光線のスペクトルとして射出する積分球１７と、積分球１７からの赤外線及び可視光線のスペクトルを反射する第２ミラー１８と、第２ミラー１８からのスペクトルを回折し、波長成分毎に分光する回折格子１９と、回折格子１９からの光を反射する第３ミラー２０と、第３ミラー２０からの光を受光し電気信号に変換する受光素子２１とを具備している。
【００２４】
前記積分球１７、第２ミラー１８、回折格子１９、第３ミラー２０及び受光素子２１は、支持部材２３により定位置に固定支持されている。
【００２５】
上述した構成の分光透過率計１において、レンズ配置部３において被検レンズ１０の特定の測定部位を位置決めするレンズ位置決め手段の動作について以下に説明する。
【００２６】
まず、図６に示すように、測定者は、被検レンズ１０のレンズ面に予め付されたこの被検レンズ１０の光学情報（例えば光学中心）表示用の印点１０ａを基準として、透明材料からなる環状の位置決めリング２５に予め付された位置合わせ印２５ａを印点１０ａに対して位置合わせしつつこの環状の位置決めリング２５を被検レンズ１０のレンズ面に貼り付ける。
【００２７】
そして、測定者は、位置決めリング２５が貼り付けられた被検レンズ１０を持って図６に示すように前記受孔部１１の円形筒状の突出筒１１ａに位置決めリング２５を嵌合する。
【００２８】
さらに、測定者は、前記測定スイッチ４を操作して光源１４により定の波長の測定光を射出させることにより、上述した測定光学系による被検レンズ１０の分光透過率の測定が実行される。
【００２９】
このようにして、極めて簡略な嵌合操作及び測定操作だけで、レンズ配置部３において被検レンズ１０の測定部位を正確に位置決めし、分光透過率計１による被検レンズ１０の分光透過率の測定を厳密に実行することが可能となる。
【００３０】
（実施の形態２）
次に、実施の形態２について説明する。
【００３１】
図７、図８は、本発明の実施の形態２を示すものであり、図７は手動式のレンズ位置決め手段３０Ａを、図８は電動式のレンズ位置決め手段３０Ｂを前記レンズ配置部３に着脱可能に配置した構成を各々示すものである。
【００３２】
手動式のレンズ位置決め手段３０Ａは、被検レンズ１０を支持しつつ測定光学系の光路Ｌに対する被検レンズ１０の測定部位を変位させる測定部位変位テーブル３１を備えている。
【００３３】
測定部位変位テーブル３１は、上側が拡開する形状、即ちＶ状の受部３３を備え被検レンズ１０をその直径で定まる位置で支持する変位ブロック３２を、支持体３４により図７において矢印方向に変位可能に支持し、変位ブロック３２に取り付けた調整ピニオン３５と変位ブロック３２の側壁に設けたラック３６とを噛合させ、調整ピニオン３５を手動にて回転することで、被検レンズ１０の前記受孔部１１を通過する光路Ｌに対する被検レンズ１０の測定部位を適宜変位させ、かつ、被検レンズ１０を正確に位置決めして、分光透過率の測定を厳密に実行するものである。
【００３４】
図８に示す電動式のレンズ位置決め手段３０Ｂは、基本的構成は図７に示すレンズ位置決め手段３０Ａと同様であるが、調整ピニオン３５と同軸の従動歯車３５ａに対して、支持体３４に取り付けた駆動モータ３９の原動歯車３８から減速歯車３７を介して回転力を伝達し、駆動モータ３９の往復回転により被検レンズ１０を支持しつつ測定光学系の光路Ｌに対する被検レンズ１０の測定部位を変位させる測定部位変位テーブル４０を備えたことが特徴である。
【００３５】
この構成によれば、駆動モータ３９を利用して自動的に測定部位を変位させ、かつ、被検レンズ１０を正確に位置決めして、分光透過率の測定を厳密に実行することが可能となる。
【００３６】
このような測定部位変位テーブル３１、測定部位変位テーブル４０を用いることにより、例えば染色濃度が除々に変化（グラデーション）する染色付きの眼鏡レンズ等の各部位の分光透過率の測定にも対応できる。
【００３７】
（実施の形態３）
図９乃至図１２は、本発明の実施の形態３を示すものである。
【００３８】
本実施の形態３においては、分光透過率計１のレンズ配置部３においてコンタクトレンズ６０の位置決めを行うレンズ位置決め手段５０を備えたことが特徴である。
【００３９】
このレンズ位置決め手段５０は、レンズ配置部３における前記測定光学系の光路Ｌを囲む位置に形成した受孔部１１に対して、コンタクトレンズ保持具５１を嵌合してコンタクトレンズ６０の位置決めを行うものである。
【００４０】
コンタクトレンズ保持具５１は、図９乃至図１１に示すように、正面形状が全体として半円と四角形とを接合したような形状で、種々の外径を有するコンタクトレンズ６０を各々保持可能な同心円状で中心部に光透過孔５２を有する複数の受溝部５３を備えたコンタクトレンズ受体５４と、受溝部５３に保持するコンタクトレンズ６０の上側からコンタクトレンズ受体５４に装着されコンタクトレンズ６０を押え込む透明材料からなり中央部に孔部５５ｅを穿設したコンタクトレンズ押え５５と、コンタクトレンズ受体５４の受溝部５３とは反対側の面において前記光透過孔５２と同心配置に設けられ、前記受孔部１１に嵌合可能な環状の位置決めリング５６とを有している。
【００４１】
前記コンタクトレンズ保持具５１は、受孔部１１に装着されたとき、前記受孔部１１の外周の一部を包囲する形状の弧状鍔部５１ａを備えている。
【００４２】
また、コンタクトレンズ保持具５１は、前記コンタクトレンズ押え５５用の上下配置の突片部５７、５８、前記射出口１２側の壁面に接触する位置安定用の突辺５９を具備している。
【００４３】
コンタクトレンズ押え５５は、略円形でかつ図１１において上下両側に突出する突出辺部５５ａ、５５ｂを備え、突出辺部５５ａに設けた係合孔５５ｃ、突出辺部５５ｂに設けた係合孔５５ｄを各々前記突片部５７、５８に係合することで図１１に示すように中央部の孔部５５ｅの領域でコンタクトレンズ６０を露出させつつこのコンタクトレンズ６０をコンタクトレンズ保持具５１に接合して保持可能としている。
【００４４】
図１２は、レンズ位置決め手段５０のコンタクトレンズ保持具５１により保持し、コンタクトレンズ押え５５により押さ込んだコンタクトレンズ６０を、分光透過率計１のレンズ配置部３に位置決めした状態を示すものである。
【００４５】
即ち、前記コンタクトレンズ保持具５１に対して光透過孔５２と同心配置に貼り付けた位置決めリング５６を前記受孔部１１に嵌合することで、前記コンタクトレンズ６０を正確に位置決めして、その分光透過率の測定を厳密に実行することが可能となる。
【００４６】
尚、前記レンズ位置決め手段５０自体を、前記レンズ位置決め手段３０Ａやレンズ位置決め手段３０Ｂと同様に構成したレンズ位置決め手段に取り付け、コンタクトレンズ６０の光路Ｌに対する測定部位を手動的又は電動式で変位させ、かつ、被検レンズ１０を正確に位置決めして、分光透過率の測定を厳密に実行するようにすることも可能である。
【００４７】
尚、以上説明した実施の形態１乃至３のうちの実施の形態２においては、測定部位変位テーブル３１又は測定部位変位テーブル４０において被検レンズ１０が上下方向にのみ変位可能な構成としているが、Ｘ−Ｙテーブルを応用して上下及び左右方向に変位させるように構成することができる。
【００４９】
【発明の効果】
請求項１記載の発明によれば、被検レンズに貼り付けた前記環状の位置決めリングを前記受孔部に嵌合するという簡略な操作だけで、被検レンズの測定部位を正確に位置決めし、分光透過率の測定を厳密に実行することが可能な分光透過率計を提供することができる。
【図面の簡単な説明】
【図１】本発明の実施の形態１のレンズメータを示す正面図である。
【図２】本発明の実施の形態１のレンズメータを示す平面図である。
【図３】本発明の実施の形態１のレンズメータを示す左側面図である。
【図４】本発明の実施の形態１のレンズメータを示す右側面図である。
【図５】本発明の実施の形態１のレンズメータの部分切欠断面図である。
【図６】本発明の実施の形態１のレンズメータにおける被検レンズの位置決め状態を示す概略図である。
【図７】本発明の実施の形態２のレンズメータにおける手動式のレンズ位置決め手段を示す概略図である。
【図８】本発明の実施の形態２のレンズメータにおける電動式のレンズ位置決め手段を示す概略図である。
【図９】本発明の実施の形態３におけるコンタクトレンズ保持具を示す図である。
【図１０】本発明の実施の形態３のレンズ位置決め手段におけるコンタクトレンズ保持具によりコンタクトレンズを保持した状態を示す図である。
【図１１】本発明の実施の形態３のレンズ位置決め手段におけるコンタクトレンズ保持具によりコンタクトレンズを保持しコンタクトレンズ押えを取り付けた状態を示す正面図である。
【図１２】本発明の実施の形態３のレンズ位置決め手段によるコンタクトレンズの位置決め状態を示す図である。
【符号の説明】
１  分光透過率計
２  本体
３  レンズ配置部
３ａ  底部
４  測定スイッチ
５  較正スイッチ
６  電源接続端子
８  通信用端子
１０  被検レンズ
１０ａ  印点
１１  受孔部
１１ａ  突出筒部
１２  射出口
１４  光源
１７  積分球
１９  回折格子
２１  受光素子
２５  位置決めリング
３０Ａ  レンズ位置決め手段
３０Ｂ  レンズ位置決め手段
３１  測定部位変位テーブル
４０  測定部位変位テーブル
５０  レンズ位置決め手段
５１  コンタクトレンズ保持具
５４  コンタクトレンズ受体
５５  コンタクトレンズ押え
６０  コンタクトレンズ
【図１】
0004024392.tif 000002
【図２】
0004024392.tif 000003
【図３】
0004024392.tif 000004
【図４】
0004024392.tif 000005
【図５】
0004024392.tif 000006
【図６】
0004024392.tif 000007
【図７】
0004024392.tif 000008
【図８】
0004024392.tif 000009
【図９】
0004024392.tif 000010
【図１０】
0004024392.tif 000011
【図１１】
0004024392.tif 000012
【図１２】
0004024392.tif 000013